(57)【要約】【課題】浴槽の裏側によどんでいる異物を含んだ水を、簡単に洗い流して、異臭や雑菌の繁殖を低減・消滅することができるユニットバスを提供する。【解決手段】浴槽１の裏面３側に形成される裏面空間Ａ内に、洗浄水Ｗを噴射する裏面空間洗浄手段Ｒを付設する。裏面空間洗浄手段Ｒが、複数の水噴射孔を貫設した配管１０を有する。配管１０を、浴槽１と浴室壁Ｋの奥側壁面Ｋ１  の間の裏面空間奥部Ａ１  に、配設する。配管１０を、浴槽１の裏面３が対応する奥側壁面Ｋ１  に付設する。【選択図】  図２
2004267311.tif 000002
【特許請求の範囲】
【請求項１】
浴槽（１）の裏面（３）側に形成される裏面空間（Ａ）内に、洗浄水（Ｗ）を噴射する裏面空間洗浄手段（Ｒ）を付設したことを特徴とするユニットバス。
【請求項２】
裏面空間洗浄手段（Ｒ）が、複数の水噴射孔（９）を貫設した配管（１０）を有する請求項１記載のユニットバス。
【請求項３】
配管（１０）を、浴槽（１）と浴室壁（Ｋ）の奥側壁面（Ｋ１  ）の間の裏面空間奥部（Ａ１  ）に、配設した請求項２記載のユニットバス。
【請求項４】
配管（１０）を、浴槽（１）の底面（１４）と、床面（５）との間の裏面空間底面部（Ａ２  ）に、配設した請求項２記載のユニットバス。
【請求項５】
配管（１０）を、浴槽（１）の裏面（３）が対応する奥側壁面（Ｋ１  ）に付設した請求項３記載のユニットバス。
【請求項６】
配管（１０）を、浴槽（１）の裏面（３）に取付けた請求項２，３又は４記載のユニットバス。
【請求項７】
水噴射孔（９）が扇状に洗浄水（Ｗ）を噴出するスリット状である請求項２記載のユニットバス。
【発明の詳細な説明】
【０００１】
【発明の属する技術分野】
本発明は、ユニットバスに関する。
【０００２】
【従来の技術】
従来、ユニットバスの床面は、排水しやすいように、排水口側へ下傾する勾配を有している（例えば、特許文献１参照）。
【０００３】
【特許文献１】
特開平８−２７０２３７号公報
【０００４】
【発明が解決しようとする課題】
しかし、近年、長寿対応型の住居は、バリアフリー化しており、住居の低床化によって、図９に示す床面３０の勾配角度αが減少している。そして、床面３０上の水の流れが非常に悪くなり、石鹸、垢等から成る異物Ｘを含んだ水が、浴槽３１裏の床面３０の上によどむ傾向がある。つまり、異臭や雑菌の繁殖、かびや虫の発生が生ずるという問題がある。
【０００５】
そこで、本発明に係るユニットバスは、上述のように浴槽の裏側によどんでいる異物を含んだ水を、簡単に洗い流して、異臭や雑菌の繁殖を低減・消滅することができるユニットバスを提供することを目的とする。また、浴槽の裏側を容易に清掃することができるユニットバスを提供することを他の目的とする。
【０００６】
【課題を解決するための手段】
上述の目的を達成するために、本発明に係るユニットバスは、浴槽の裏面側に形成される裏面空間内に、洗浄水を噴射する裏面空間洗浄手段を付設したものである。また、裏面空間洗浄手段が、複数の水噴射孔を貫設した配管を有するものである。
【０００７】
また、配管を、浴槽と浴室壁の奥側壁面の間の裏面空間奥部に、配設したものである。また、配管を、浴槽の底面と、床面との間の裏面空間底面部に、配設したものである。また、配管を、浴槽の裏面が対応する奥側壁面に付設したものである。また、配管を、浴槽の裏面に取付けたものである。また、水噴射孔が扇状に洗浄水を噴出するスリット状であるものである。
【０００８】
【発明の実施の形態】
以下、実施の形態を示す図面に基づき、本発明を詳説する。
【０００９】
図１〜図３は、本発明の第１の実施の形態を示す。すなわち、このユニットバスは、例えば、ＦＲＰ（繊維強化プラスチック）から成る浴槽１と洗い場２とを備える。浴槽１の裏面３側に形成される裏面空間Ａ内に、洗浄水Ｗを噴射する裏面空間洗浄手段Ｒが付設されている。裏面空間Ａは、裏面空間奥部Ａ１  と裏面空間底面部Ａ２  とから成る。４はＦＲＰ製防水パンを示す。洗浄水Ｗは、勢い良く噴出され床面５───すなわち、防水パン４の上面４ａ───によどんでいる異物を含んだ水（図示省略）を洗い流して、排水口６、排水口６に開口する排水管７を順次流通して外部に排出される。８はＦＲＰ製エプロンを示す。
【００１０】
裏面空間洗浄手段Ｒは、複数の下方開口状の水噴射孔９を貫設した平面視略倒立Ｌ字状の硬質塩化ビニル製配管１０を有する。配管１０の先端１０ａは、栓１１によって閉じられている。配管１０は、浴槽１と浴室壁Ｋの奥側壁面Ｋ１  の間の裏面空間奥部Ａ１  に、配設されている。具体的には、配管１０は、浴槽１の裏面３が対応する奥側壁面Ｋ１  に、複数の樹脂製又は金属製固着具１２にて付設されている。水噴射孔９は、例えば、直径約２ｍｍの円形に形成されている。１３は配管１０への洗浄水Ｗの供給量を調節する止水栓を示す。
【００１１】
図４・図５は、第２の実施の形態を示す。すなわち、平面視略コの字状の配管１０が、浴槽１の底面１４と、床面５との間の裏面空間底面部Ａ２  に、配設される。
【００１２】
図６は、第３の実施の形態を示す。すなわち、配管１０が、浴槽１の裏面３に取付けられる。具体的には、配管１０が、浴槽１の底面１４に一部を埋設状に取付けられる。
【００１３】
図７・図８は、第４の実施の形態を示す。すなわち、水噴射孔９が扇状に洗浄水Ｗを噴出するスリット状である。
【００１４】
なお、本発明は、設計変更可能であって、例えば、図１（第１の実施の形態）と図４（第２の実施の形態）とを結合して、配管１０を、裏面空間奥部Ａ１  及び裏面空間底面部Ａ２  の両方に配設するも好ましい。また、配管１０を、浴槽１の奥側壁面Ｋ１  側に、一部を埋設状に取付けるも良い。また、水噴射孔９の形状・大きさは、上述のものに限定されない。また、水噴射孔９を、配管１０の真下からずれた位置に貫設して洗浄水Ｗを斜め方向に噴射するように構成するも良い。
【００１５】
また、防水パン４・エプロン８は、ＦＲＰ以外の樹脂から成るも良い。また、配管１０は、硬質塩化ビニル以外の樹脂、金属等から成るも良い。また、一定時間後（例えば、１０秒後）に配管１０の洗浄水Ｗの流通を自動的にストップするように、上記止水栓１３を構成しても良い。また、図４と図５（第２の実施の形態）に於て、配管１０の下部に（庭のスプリンクラー散水栓のように）自動で噴射方向が切換わってゆく散水器を、付設するも良い。この場合、床面５の一層広い範囲に向かって洗浄水Ｗを自動的に次々と異なる箇所に噴射して、床面５を確実に洗浄することができる。
【００１６】
【発明の効果】
本発明は、上述の如く構成されるので、次に記載する効果を奏する。
【００１７】
（請求項１，２，３，４，５，６，７によれば）浴槽１の裏側によどんでいる異物を含んだ水を、簡単に洗い流して、異臭や雑菌の繁殖を低減・消滅することができる。また、浴槽１の裏側を容易に清掃することができる。特に、最近のバリアフリー等に伴っての低床化に対応した衛生的なユニットバスを提供できる。
【００１８】
（請求項２によれば）簡単な構成にて、浴槽１の裏側によどんでいる異物を含んだ水を、簡単に洗い流して、異臭や雑菌の繁殖を低減・消滅することができる。
【００１９】
（請求項３によれば）裏面空間奥部Ａ１  に対応する床面５を清潔にすることができる。
（請求項４によれば）裏面空間底面部Ａ２  に対応する床面５を清潔にすることができる。
【００２０】
（請求項５によれば）配管１０を確実に保持することができる。また、浴槽１とは別体である奥側壁面Ｋ１  には、容易に取付作業が可能である。
（請求項６によれば）配管１０を確実に保持することができる。
（請求項７によれば）広い範囲を確実に洗浄することができる。
【図面の簡単な説明】
【図１】本発明の第１の実施の形態を示す一部断面平面図である。
【図２】使用状態を示す一部断面斜視図である。
【図３】要部拡大底面図である。
【図４】第２の実施の形態を示す一部断面平面図である。
【図５】一部断面斜視図である。
【図６】第３の実施の形態を示す要部拡大断面側面図である。
【図７】第４の実施の形態を示す要部拡大底面図である。
【図８】使用状態を示す要部拡大正面図である。
【図９】従来例を示す要部断面側面図である。
【符号の説明】
１  浴槽
３  裏面
５  床面
９  水噴射孔
１０  配管
１４  底面
Ａ  裏面空間
Ａ１    裏面空間奥部
Ａ２    裏面空間底面部
Ｋ  浴室壁
Ｋ１    奥側壁面
Ｒ  裏面空間洗浄手段
Ｗ  洗浄水
【図１】
2004267311.tif 000003
【図２】
2004267311.tif 000004
【図３】
2004267311.tif 000005
【図４】
2004267311.tif 000006
【図５】
2004267311.tif 000007
【図６】
2004267311.tif 000008
【図７】
2004267311.tif 000009
【図８】
2004267311.tif 000010
【図９】
2004267311.tif 000011